(57)【要約】【課題】荷重が加わった場合の下部支持板の撓み発生を極力少なくすることができる配管支持金具を提供する。【解決手段】ベースプレート１２の上面に立設した両側のねじ杆１３、１３にわたって、下向きの湾曲部１４ａを有する下部支持板１４と上向きの湾曲部１５ａを有する上部支持板１５を取付け、前記下部支持板１４の両端部をねじ杆１３、１３に螺合したナットで支持し、前記上部支持板１５の両端部をねじ杆１３、１３に螺合したナット１８で押し下げる配管支持金具であって、前記下部支持板１４の両端部を、この下部支持板１４の上下に位置するようねじ杆１３、１３に螺合したダブルのナット１６と１７でねじ杆１３、１３に固定化する。【選択図】図１
2008298262.tif 000002
【特許請求の範囲】
【請求項１】
ベースプレートの上面に一対のねじ杆を立設し、両側のねじ杆にわたって、下向きの湾曲部を有する下部支持板と上向きの湾曲部を有する上部支持板を取付け、前記下部支持板の両端部をねじ杆に螺合したナットで支持し、前記上部支持板の両端部をねじ杆に螺合したナットで押し下げるようにした配管支持金具において、
前記下部支持板の両端部を、この下部支持板の上下に位置するようねじ杆に螺合したダブルのナットでねじ杆に固定化したことを特徴とする配管支持金具。
【請求項２】
上記下部支持板と上部支持板は、それぞれその両端部にねじ杆へ挿通する嵌合孔を設けて形成され、前記上部支持板の一方嵌合孔は、他方ねじ杆を支点とする上部支持板の回動で一方ねじ杆に対して係脱できるように、上部支持板の側縁に開放していることを特徴とする請求項１に記載の配管支持金具。
【請求項３】
上記下部支持板は、板厚が３．２ｍｍの金属板を用いて形成されていることを特徴とする請求項１又は２に記載の配管支持金具。
【発明の詳細な説明】
【技術分野】
【０００１】
この発明は、建物の床面や壁面に沿って配置される配管を固定するために用いる配管支持金具に関する。
【背景技術】
【０００２】
従来、建物の床面や壁面に沿って配置される配管を固定するために用いる配管支持金具１は、図４のように、帯板状金属板を用いたベースプレート２の上面で両端部の位置に、配管Ａが収まる間隔で一対のねじ杆３を立設し、両側のねじ杆３にわたって、帯板状金属板を用いて形成され、下向きの湾曲部を有する下部支持板４と上向きの湾曲部を有する上部支持板５を取付け、前記下部支持板４の両端下部をねじ杆３に螺合したナット６で支持し、前記上部支持板５の両端部をねじ杆３に螺合したナット７で押し下げるようにした構造になっている。
【０００３】
上記下部支持板４と上部支持板５は、両端部にねじ杆３の外径よりも少し大径の嵌合孔を設けて形成され、上部支持板５の一方嵌合孔は、他方ねじ杆３を支点とする上部支持板５の回動で一方ねじ杆３に対して係脱できるように、上部支持板５の側縁に開放している。
【０００４】
また、下部支持板４と上部支持板５に設けた湾曲部は配管Ａの半径よりも浅くなっており、外径の異なる配管Ａを支持することができるフリータイプになっており、従来、前記下部支持板４と上部支持板５は、共に板厚が２．０ｍｍの金属板を用いて形成されていた。
【０００５】
この配管支持金具１で配管Ａを支持するには、建物の床面や壁面にベースプレート２を固定し、両側のねじ杆３にナット６を螺合して両側のねじ杆３に下部支持板４を取付け、この下部支持板４の両端下部を支持するナット６を回動させて下部支持板４の配管支持高さを設定し、次に、下部支持板４の湾曲部に配管Ａを載置した状態で、両側のねじ杆３に上部支持板５を取付けてその湾曲部を配管Ａ上に重ね、両側のねじ杆３に螺合したナット７をねじ込んで上部支持板５の両端を押さえ込み、下部支持板４と上部支持板５で配管Ａを挟み込むことにより固定化する（例えば、特許文献１参照）。
【特許文献１】特開２００４−３６７０６号公報
【発明の開示】
【発明が解決しようとする課題】
【０００６】
ところで、上記のような配管支持金具１で床面に配管Ａを固定した状態で、床面を歩行する人が配管をまたぐ場合、配管支持金具１の部分に足をかけ乗り越える人がおり、配管支持金具１の上に体重をかけると、すべての重量が下部支持板４にかかることになる。
【０００７】
上記のように、下部支持板に上から荷重が加わると、この下部支持板は、ねじ杆に嵌合孔が嵌ってナットで下面が支持された両側端部が配管を支持する湾曲部の底部に向けて両側が引かれることで下向きに撓むことになり、この結果、荷重が開放されると下部支持板と上部支持板の配管を挟持していた間隔が開き、配管の固定部分にガタツキが生じるという問題がある。
【０００８】
また、下部支持板と上部支持板の配管を挟持していた間隔が開き、配管の固定部分に大きなガタツキが生じると、上部支持板は、他方ねじ杆を支点に回動し、一方ねじ杆に対して一方嵌合孔が外れるような事態が発生する。
【０００９】
そこで、この発明は、荷重が加わった場合の下部支持板の撓み発生を極力少なくすることができ、配管の固定部分におけるガタツキの発生や、上部支持板の嵌合孔が一方ねじ杆に対して外れるようなことのない配管支持金具を提供することにある。
【課題を解決するための手段】
【００１０】
上記のような課題を解決するため、この発明は、ベースプレートの上面に一対のねじ杆を立設し、両側のねじ杆にわたって、下向きの湾曲部を有する下部支持板と上向きの湾曲部を有する上部支持板を取付け、前記下部支持板の両端部をねじ杆に螺合したナットで支持し、前記上部支持板の両端部をねじ杆に螺合したナットで押し下げるようにした配管支持金具において、前記下部支持板の両端部を、この下部支持板の上下に位置するようねじ杆に螺合したダブルのナットでねじ杆に固定化した構成を採用したものである。
【００１１】
上記下部支持板と上部支持板は、それぞれその両端部にねじ杆へ挿通する嵌合孔を設けて形成され、前記上部支持板の一方嵌合孔は、他方ねじ杆を支点とする上部支持板の回動で一方ねじ杆に対して係脱できるように、上部支持板の側縁に開放している構造とすることができる。
【００１２】
また、上記下部支持板は、板厚が３．２ｍｍの金属板を用いて形成されているようにすることができる。
【００１３】
ここで、上記ベースプレートは、帯板状金属板を用いた、複数の固定用孔が設けられ、その上面で両側端部寄りの位置にナットをカシメ等によって固定し、ねじ杆の下端をこのナットに螺合することによって両側に起立するよう配置している。
【００１４】
また、下部支持板と上部支持板は、両端部にねじ杆よりも少し大径の嵌合孔が設けられ、湾曲部が配管の半径よりも浅くなっており、外径の異なる配管を支持することができるフリータイプになっていると共に、下部支持板は強度を持たせるため、上部支持板よりも厚めの、例えば、３．２ｍｍの板厚にすることができる。
【発明の効果】
【００１５】
この発明によると、ベースプレートの両側のねじ杆にわたって取付けた下部支持板と上部支持板間で配管を挟むようにした配管支持金具において、前記下部支持板の両端部を、この下部支持板の上下に位置するようねじ杆に螺合したダブルのナットでねじ杆に固定化したので、上下ダブルのナットの締め付けにより、下部支持板の両端部を両側のねじ杆に対して強固に固定することで、この両端部と両側のねじ杆を剛体構造に一体化することができ、この剛体構造は両端が内側に向けて引かれる力に対して耐引張り強度が向上し、下部支持板に上部から荷重が加わった場合に、下部支持板の下向きへの撓み発生を抑え、下部支持板と上部支持板の配管を挟持していた間隔が開き、配管の固定部分にガタツキが生じるのを防ぐことができる。
【００１６】
また、下部支持板と上部支持板の配管を固定する部分にガタツキが生じないようにすることで、上部支持板が他方ねじ杆を支点に回動し、一方ねじ杆に対して一方嵌合孔が外れるような事態の発生を防ぐことができる。
【発明を実施するための最良の形態】
【００１７】
以下、この発明の実施の形態を添付図面に基づいて説明する。
【００１８】
図示のように、配管支持金具１１は、ベースプレート１２の上面に、配管Ａが収まる間隔で一対のねじ杆１３、１３を立設し、両側のねじ杆１３、１３にわたって、下部支持板１４と上部支持板１５を取付け、前記下部支持板１４の両端部をねじ杆１３、１３に螺合したナット１６と１７で固定化し、前記上部支持板１５の両端部をねじ杆１３、１３に螺合したナット１８で押し下げるようにした構造になっている。
【００１９】
上記ベースプレート１２は、帯板状金属板を用い、長さ方向に沿って補強リブ１９と両端部と中央位置に固定用孔２０が設けられ、その上面で両側端部寄りの位置にナット２１、２１がカシメ等によって固定され、ねじ杆１３、１３の下端をこのナット２１、２１に螺合することによって両側に起立するように取付けられている。
【００２０】
上記下部支持板１４は、帯板状金属板を用い、両端部にねじ杆１３、１３へ挿通する嵌合孔２２が設けられ、その途中が支持せんとする配管よりも大径となる下向きの湾曲部１４ａとなり、また、上部支持板１５も、帯板状金属板を用い、両端部にねじ杆１３、１３へ挿通する嵌合孔２３が設けられ、その途中が支持せんとする配管Ａよりも大径となる上向きの湾曲部１５ａになっている。
【００２１】
このように、下部支持板１４と上部支持板１５の湾曲部１４ａと１５ａを支持せんとする配管Ａよりも大径とすることにより、配管支持金具１１は配管Ａの支持に対してフリータイプとなる。
【００２２】
上記下部支持板１４は、両端部の嵌合孔２２をねじ杆１３、１３に挿通した状態で、両端部がこの下部支持板１４の上下に位置するようねじ杆１３、１３に螺合したダブルのナット１６と１７でねじ杆１３、１３に固定化されている。
【００２３】
また、上部支持板１５は、両端部の嵌合孔２３をねじ杆１３、１３に挿通した状態で、両端部がねじ杆１３、１３に螺合したナット１８で上から押し込まれるようになっている。
【００２４】
図１のように、上部支持板１５の一方嵌合孔２３は、他方ねじ杆１３を支点とする上部支持板１５の回動で一方ねじ杆１３に対して係脱できるように、上部支持板１５の側縁に開放している構造となっている。
【００２５】
ここで、下部支持板１４と上部支持板１５の形成に用いる金属板の板厚は、支持せんとする配管Ａの径や重量に合わせて設定すればよいが、例えば、上部支持板１５を２ｍｍ厚とし、下部支持板１４は強度を持たせるため、２ｍｍ厚の下部支持板１４を二枚重ねにして使用したり、上部支持板１５よりも厚めの、例えば、３．２ｍｍの板厚に設定することができる。
【００２６】
この発明の配管支持金具１１は、上記のような構成であり、建物の床面等に配置する配管Ａを支持するには、床面にベースプレート１２を配置し、固定用孔２０を利用して締結具で固定し、両側に起立するねじ杆１３、１３にナット１６を螺合して下方に位置させ、下部支持板１４の両端部に設けた嵌合孔２２をねじ杆１３、１３に挿通してその両端部をナット１６で支持し、このナット１６を回動させて下部支持板１４の配管支持高さ位置を調整し、続いて、両側に起立するねじ杆１３、１３にナット１７を螺合し、このナット１７を締め付けることで、下部支持板１４の端部を上下のナット１６と１７でねじ杆１３、１３に固定する。
【００２７】
次に、下部支持板１４の湾曲部１４ａに配管Ａを載置した状態で、両側のねじ杆１３、１３に上部支持板１５を取付けてその湾曲部１５ａを配管Ａ上に重ね、この後両側のねじ杆１３、１３に螺合したナット１８をねじ込んで上部支持板１５の両端を押さえ込み、下部支持板１４と上部支持板１５で配管Ａを挟み込むことにより固定化する。
【００２８】
上記下部支持板１４の両端部を、この下部支持板１４の上下に位置するようねじ杆１３、１３に螺合した上下ダブルのナット１６と１７でねじ杆１３、１３に固定化すると、上下ナット１６、１７の締め付けにより、下部支持板１４の両端部が両側のねじ杆１３、１３に対して強固に固定され、この両端部と両側のねじ杆１３、１３を剛体構造に一体化することができ、この剛体構造は下部支持板１４の両端が内側に向けて引かれる力に対して耐引張り強度が向上し、下部支持板１４に上部から荷重が加わった場合に、下部支持板１４の下向きへの撓み発生を抑え、下部支持板１４と上部支持板１５の配管Ａを挟持していた間隔が開き、配管Ａの固定部分にガタツキが生じるのを防ぐことになる。
【００２９】
また、下部支持板１４と上部支持板１５の配管Ａを固定する部分にガタツキが生じないので、上部支持板１５が他方ねじ杆１３を支点に回動し、一方ねじ杆１３に対して一方嵌合孔２３が外れるような事態の発生を防ぐことができる。
【００３０】
ちなみに、図４で示した従来の配管支持金具１と、この発明の配管支持金具１１を用い、配管Ａを支持した状態で、体重が７５Ｋｇの人が踏みつけた場合の下部支持板４と１４の変形量の発生を測定した結果を以下に示す。
【００３１】
図４で示した従来の配管支持金具１において、板厚が２．０ｍｍのＳＰＣＣ製の下部支持板４を用いた場合、下部支持板４の変形量は４．８ｍｍ、板厚が３．２ｍｍのＳＰＣＣ製の下部支持板４を用いた場合、下部支持板４の変形量は３．２ｍｍであった。
【００３２】
これに対して、この発明の配管支持金具１１において、板厚が３．２ｍｍのＳＰＣＣ製の下部支持板１４を用いた場合、下部支持板１４の変形量は１．８ｍｍ、板厚が２ｍｍのＳＰＣＣ製の下部支持板１４を二枚重ねした場合も、下部支持板１４の変形量は１．８ｍｍであった。
【００３３】
このように、下部支持板１４の板厚を３．２ｍｍとすることと、下部支持板１４の両端部を上下のナット１６と１７で締め付けてねじ杆１３、１３と剛体構造に一体化することにより、内側に向けて引かれる力に対する耐引張り強度が向上し、下部支持板１４に上部から荷重が加わった場合に、下部支持板１４の下向きへの撓み発生を抑えることができる。
【図面の簡単な説明】
【００３４】
【図１】この発明の配管支持金具を示す斜視図
【図２】この発明の配管支持金具を示す正面図
【図３】この発明の配管支持金具を示す要部を拡大した縦断正面図
【図４】従来の配管支持金具を示す正面図
【符号の説明】
【００３５】
１１      配管支持金具
１２      ベースプレート
１３      ねじ杆
１４      下部支持板
１５      上部支持板
１６      ナット
１７      ナット
１８      ナット
１９      補強リブ
２０      固定用孔
２１      ナット
２２      嵌合孔
２３      嵌合孔
【図１】
2008298262.tif 000003
【図２】
2008298262.tif 000004
【図３】
2008298262.tif 000005
【図４】
2008298262.tif 000006